(57)【要約】【課題】塑性変形を確実に防止するとともにコネクタ本体の構造を簡素化させることの可能な電気接続用端子及びこれを用いたコネクタを提供する。【解決手段】端子２０の一端側（先端部２７）に幅方向に突出する突起２７ａを設けるとともに、他端側（第１の真直部２１）には突起２７ａの側方まで延びる側壁部２８を設け、側壁部２８には、突起２７ａを係合し、上下方向（Ｚ方向）及び前後方向（Ｙ方向）への突起２７ａの移動をそれぞれ変位量Ａ及びＢに規制する係合孔２８ａを形成したので、端子２０が変位量Ａ及びＢを超えて弾性変形することがない。従って、端子２０の塑性変形を確実に防止することができる。また、端子２０の弾性変形を規制する部材をコネクタ本体１０に設ける必要がないので、コネクタ本体１０の構造を簡素化させることができ、コネクタの製造コストを低減させることができる。【選択図】図３
2007324029.tif 000002
【特許請求の範囲】
【請求項１】
一端側を一方の接続対象物に接触させるとともに、他端側を他方の接続対象物に接触させるように形成された弾性変形可能な電気接続用端子において、
前記一端側及び他端側の何れか一方に幅方向に突出する突起を設けるとともに、他方には突起の側方まで延びる側壁部を設け、
側壁部には、突起を係合し、幅方向に直交する方向への突起の移動を所定の範囲内に規制する係合孔を形成した
ことを特徴とする電気接続用端子。
【請求項２】
前記一端側と他端側の間を蛇行状に屈曲するように形成した
ことを特徴とする請求項１記載の電気接続用端子。
【請求項３】
前記突起及び側壁部を幅方向両端側にそれぞれ設けた
ことを特徴とする請求項１または２記載の電気接続用端子。
【請求項４】
請求項１、２または３記載の電気接続用端子を複数備え、
コネクタ本体の一端側に各電気接続用端子の一端側を配置し、コネクタ本体の他端側に各電気接続用端子の他端側を配置した
ことを特徴とするコネクタ。
【発明の詳細な説明】
【技術分野】
【０００１】
本発明は、例えばバッテリー等の接続対象物と基板とを電気的に接続するために使用される電気接続用端子及びこれを用いたコネクタに関するものである。
【背景技術】
【０００２】
従来、この種のコネクタに用いられる電気接続用端子としては、一端側を一方の接続対象物に接触させるとともに、他端側を他方の接続対象物に接触させるように形成された弾性変形可能なものが知られている（例えば特許文献１参照）。
【０００３】
この電気接続用端子には、コネクタ本体に形成された係合溝に係合する突起が幅方向に突出するように設けられており、電気接続用端子は、コネクタ本体の前方に配置された一方の接続対象物が電気接続用端子に接触すると、突起が係合溝に係止するまで、コネクタ本体の後方に向かって弾性変形するようになっている。
【特許文献１】特開２００５−１２９３７４号公報
【発明の開示】
【発明が解決しようとする課題】
【０００４】
しかしながら、前記従来例では、コネクタ本体の前後方向への弾性変形のみが規制されるので、例えば一方の接続対象物が電気接続用端子に接触しながらコネクタ本体の上下方向に位置ずれした場合には、電気接続用端子がコネクタ本体の係合溝に係止することなく上下方向に弾性変形することにより、電気接続用端子が塑性変形するおそれがあるという問題点があった。
【０００５】
また、係合溝がコネクタ本体に設けられているので、コネクタ本体の構造が複雑になり、コネクタの製造コストが嵩むという問題点もあった。
【０００６】
本発明は前記問題点に鑑みてなされたものであり、その目的とするところは、塑性変形を確実に防止するとともにコネクタ本体の構造を簡素化させることの可能な電気接続用端子及びこれを用いたコネクタを提供することにある。
【課題を解決するための手段】
【０００７】
本発明の電気接続用端子は、前記目的を達成するために、一端側を一方の接続対象物に接触させるとともに、他端側を他方の接続対象物に接触させるように形成された弾性変形可能な電気接続用端子において、前記一端側及び他端側の何れか一方に幅方向に突出する突起を設けるとともに、他方には突起の側方まで延びる側壁部を設け、側壁部には、突起を係合し、幅方向に直交する方向への突起の移動を所定の範囲内に規制する係合孔を形成している。
【０００８】
また、本発明のコネクタは、前記目的を達成するために、前記電気接続用端子を複数備え、コネクタ本体の一端側に各電気接続用端子の一端側を配置し、コネクタ本体の他端側に各電気接続用端子の他端側を配置している。
【０００９】
これにより、幅方向に直交する方向への突起の移動が所定の範囲内に規制されるので、電気接続用端子が所定の範囲外に弾性変形することがない。また、電気接続用端子の弾性変形が突起及び係合孔により規制されるので、弾性変形を規制する部材をコネクタ本体に設ける必要がない。
【発明の効果】
【００１０】
本発明によれば、電気接続用端子が所定の範囲外に弾性変形することがないので、電気接続用端子の塑性変形を確実に防止することができる。また、電気接続用端子の弾性変形を規制する部材をコネクタ本体に設ける必要がないので、コネクタ本体の構造を簡素化させることができ、コネクタの製造コストを低減させることができる。
【発明を実施するための最良の形態】
【００１１】
図１乃至図４は本発明の一実施形態を示すもので、図１はコネクタの斜視図、図２は電気接続用端子の斜視図、図３はコネクタの側面断面図、図４は電気接続用端子の変形例を示す斜視図である。
【００１２】
このコネクタは、絶縁性のコネクタ本体１０と、コネクタ本体１０に保持された複数の電気接続用端子（以下端子という）２０とからなり、各端子２０の一端側は一方の接続対象物としてのバッテリー３０と接触し、他端側は他方の接続対象物としての基板（図示省略）と接触するようになっている。
【００１３】
コネクタ本体１０は合成樹脂の成形品からなり、各端子２０が配置される複数の端子孔１１を幅方向に間隔をおいて有している。コネクタ本体１０は、上面に上面壁１２が形成され、前面に前面壁１３が形成されている。各端子孔１１は、コネクタ本体の上面及び背面に開口しており、その前方はコネクタ本体１０の前面壁１３によって閉じられている。コネクタ本体１０の下面には基板に位置決めするための複数の突起部１４が設けられている。また、コネクタ本体１０内には、各端子孔１１の幅方向に間隔をおいて対向する一対の端子保持部（図示省略）が設けられており、各端子保持部間に端子２０の前端側を後方から圧入することにより、端子２０がコネクタ本体１０に保持されるようになっている。
【００１４】
各端子２０は、蛇行状に屈曲するように形成された弾性変形可能な導電性の金属板からなり、その一部がコネクタ本体１０の端子保持部に保持されている。端子２０は、コネクタ本体１０の底面に沿って前後方向（図中Ｙ方向）に延びる第１の真直部２１と、第１の真直部２１の前端から後方に向かって屈曲する第１の屈曲部２２と、第１の屈曲部２２から斜め上方に向かって延びる第２の真直部２３と、第２の真直部２３の上端から前方に向かって屈曲する第２の屈曲部２４と、第２の屈曲部２４の前端から上方に突出するように屈曲する接触部２５と、接触部２５から斜め下方に延びる第３の真直部２６と、第３の真直部２６の下端側を後方に屈曲してなる先端部２７とから形成されている。また、先端部２７の幅方向（図中Ｘ方向）両端側には、それぞれ幅方向に突出する一対の突起２７ａが設けられている。さらに、第１の真直部２１の幅方向両端側には、それぞれ各突起２７ａの側方まで延びる一対の側壁部２８が設けられており、各側壁部２８には、突起２７ａを係合する係合孔２８ａが形成されている。係合孔２８ａは、その幅寸法（図中Ｙ方向の寸法）及び高さ寸法（図中Ｚ方向の寸法）がそれぞれ突起２７ａの幅寸法（図中Ｙ方向の寸法）及び高さ寸法（図中Ｚ方向の寸法）よりも大きくなるように形成されており、突起２７ａが係合孔２８ａの端部に係止することにより、突起２７ａの上下方向（図中Ｚ方向）及び前後方向（図中Ｙ方向）への移動を所定の範囲内に規制するようになっている。
【００１５】
また、端子２０の他端側には、基板等に接続される接続部２９が設けられ、接続部２９は第１の真直部２１の後端からコネクタ本体１０の下方に突出するように形成されている。
【００１６】
以上のように構成されたコネクタは、例えば携帯電話等の携帯機器におけるバッテリー収納部の基板に取り付けられる。図３に示すように、コネクタ本体１０の上方に位置するバッテリー３０が下方（図中Ｚ１方向）に向かって移動して接触部２５に接触すると、各端子２０は、突起２７ａが係合孔２８ａの下端に係止するまで、各屈曲部２２，２４を基点に下方に弾性変形する。この場合、接触部２５の下方への変位量はＡとなる。また、バッテリー３０が接触部２５に接触しながらコネクタ本体１０の後方（図中Ｙ１方向）に位置ずれした場合には、端子２０は、突起２７ａが係合孔２８ａの後端に係止するまで、各屈曲部２２，２４を基点に下方に弾性変形する。この場合、接触部２５の後方への変位量はＢとなる。さらに、端子２０が幅方向（Ｘ方向）に弾性変形する場合には、一方の側壁部２８が第２の真直部２３に係止することにより、端子２０の弾性変形が規制される。なお、変位量Ａ及びＢを、係合孔２８ａの幅寸法及び高さ寸法に基づいて調整することができるのは言うまでもない。
【００１７】
このように、本実施形態のコネクタによれば、端子２０の一端側（先端部２７）に幅方向に突出する突起２７ａを設けるとともに、他端側（第１の真直部２１）には突起２７ａの側方まで延びる側壁部２８を設け、側壁部２８には、突起２７ａを係合し、上下方向（Ｚ方向）及び前後方向（Ｙ方向）への突起２７ａの移動をそれぞれ変位量Ａ及びＢに規制する係合孔２８ａを形成したので、端子２０が変位量Ａ及びＢを超えて弾性変形することがない。従って、端子２０の塑性変形を確実に防止することができる。また、端子２０の弾性変形を規制する部材をコネクタ本体１０に設ける必要がないので、コネクタ本体１０の構造を簡素化させることができ、コネクタの製造コストを低減させることができる。
【００１８】
また、接触部２５と接続部２９との間を蛇行状に屈曲するように形成したので、端子２０を大型化させることなく、バッテリー３０との接触に応じて弾性変形させることができ、小型のバッテリー等のようにコネクタと接触する部分の小さい接続対象物との接続に極めて有利である。
【００１９】
さらに、各突起２７ａ及び各側壁部２８を端子２０の幅方向両端側にそれぞれ設けたので、各側壁部２８によって端子２０の幅方向（Ｘ方向）への変形を規制することができ、各端子２０が幅方向に塑性変形することを確実に防止することができる。
【００２０】
なお、前記実施形態では、各突起２７ａを先端部２７の幅方向両端側からそれぞれ幅方向に突出するように形成したものを示したが、図４に示すように各突起２７ａを第１の真直部２１の幅方向両端側からそれぞれ幅方向に突出するように形成するとともに、各側壁部２８を先端部２７から各突起２７ａの側方まで延びるように設けてもよい。
【００２１】
また、各突起２７ａを第２の真直部２３の幅方向両端側にそれぞれ設けるとともに、各側壁部２８を、先端部２７または第１の真直部２１から各突起２７ａの側方まで延びるように設けてもよい。
【図面の簡単な説明】
【００２２】
【図１】本発明の一実施形態によるコネクタの斜視図
【図２】電気接続用端子の斜視図
【図３】コネクタの側面断面図
【図４】電気接続用端子の変形例を示す斜視図
【符号の説明】
【００２３】
１０…コネクタ本体、１５…弾性片部、１５ａ…前端部、２０…複数の端子、２７ａ…一対の突起、２８…一対の側壁部、２８ａ…係合孔、３０…バッテリー。
【図１】
2007324029.tif 000003
【図２】
2007324029.tif 000004
【図３】
2007324029.tif 000005
【図４】
2007324029.tif 000006